(57)【要約】【課題】バレル自体の質量および重心位置を任意に調整できる新規な構造のダーツバレルを提供する。【解決手段】バレル本体３ａの少なくとも一部が筒形に構成されているとともに、該筒形の筒穴内にウェイト部材（円柱状ブロック６）を着脱可能に装着させてなる。前記ウェイト部材は、前記筒穴内の、軸方向任意位置に装着可能とする。また、該ウェイト部材は、異なる質量を有するものを選択して装着可能とする。バレル自体の質量および重心位置をウェイト部材の装着によって容易かつ任意に調整できる。バレル本体には、耐食性や強度、着色性に優れたステンレス鋼を使用することができる。ウェイト部材には、バレル本体と同じまたは異なる材質を選択できる。【選択図】図１
2008253537.tif 000002
【特許請求の範囲】
【請求項１】
ダーツ競技に使用される矢先、バレル、シャフトおよびフライトで構成されているダーツの前記バレルにおいて、バレル本体の少なくとも一部が筒形に構成されているとともに、該筒形の筒穴内にウェイト部材を着脱可能に装着させてなることを特徴とするダーツバレル。
【請求項２】
前記ウェイト部材は、前記筒穴内の、軸方向任意位置に装着可能であることを特徴とする請求項１記載のダーツバレル。
【請求項３】
前記ウェイト部材には、異なる質量を有するものを選択して装着可能であることを特徴とする請求項１または２に記載のバーツバレル。
【請求項４】
前記筒穴内の内周面にねじ溝が形成されており、前記ウェイト部材の軸方向両端を前記ねじ溝に螺合した、両側の雄ねじ部材にて固定してなることを特徴とする請求項１〜３のいずれかに記載のダーツバレル。
【請求項５】
前記筒穴内の内周面にねじ溝が形成されているとともに、前記ウェイト部材の外周面に該ねじ溝に螺合するねじ山が形成されており、前記ねじ溝と前記ねじ山の螺合によって前記ウェイト部材が固定されていることを特徴とする請求項１〜３のいずれかに記載のダーツバレル  
【請求項６】
前記ウェイト部材が金属、セラミックまたは樹脂からなることを特徴とする請求項１〜５のいずれかに記載のダーツバレル。
【請求項７】
前記本体がステンレス鋼で構成されていることを特徴とする請求項１〜６のいずれかに記載のダーツバレル。
【請求項８】
前記本体の表面が着色されていることを特徴とする請求項１〜７のいずれかに記載のダーツバレル。
【発明の詳細な説明】
【技術分野】
【０００１】
本発明はダーツ競技に使用される分割型ダーツのバレルに関する。
【背景技術】
【０００２】
ダーツ競技に使用されているダーツ１（投げ矢）は、ボードに刺さる先端部の矢先２（ポイントやチップ）、指でグリップするバレル３、羽根の部分のフライト５、バレルとフライトを連結するシャフト４の４つのパーツで構成され、分割型のダーツでは、図６に示すように前記４つのパーツに分割可能で、必要に応じて各パーツを交換することができるようになっている。
【０００３】
ダーツには一体型と分割型とがあるが、主に分割型が使用されている。分割型ダーツは、前述したようにポイント、バレル、シャフト、フライトの４つのパーツに分割することができるが、各パーツには長さ、質量の規定はなく、ダーツの全長および全体質量が規定されている。
【０００４】
ダーツ競技とは、ダーツボードにダーツを当てて得点を競うゲームであり、使用される先端部のポイントやダーツボードの形状などによってハードダーツとソフトダーツに区別される。
【０００５】
ハードダーツ競技では、図４に示すような金属製の矢先（ポイント）のついたダーツが使用されている。そのダーツは、全長が３０．５ｃｍ以内、重さが５０ｇ以下に規定されている。
一方、ソフトダーツ競技では、ダーツボード面に無数の穴が開けられていて、その穴にダーツが刺さると点数が自動的に集計表示されるように仕組まれたゲーム機を用いて得点が競われる。ソフトダーツには、図５に示すようなプラスチック製の矢先２ａが使われるため、ダーツ自体の質量は１８ｇ以下に制限されている。
【０００６】
ハード・ソフト両ダーツともにその全体質量は、バレル質量によって左右される。バレルは、重いものが投げやすいということもあり、図３に示すように、分割パーツ間の接続用の筒穴を除いて一般には中実材が用いられている。また、ダーツのスローイングおよびそのコントロールには、ダーツの質量、重心位置およびヘッドバランスが大きく影響してくる。また、ダーツのヘッドバランスは、その全体質量を左右するバレルの重心位置によって変わってくる。したがって、ダーツの適正なスローイングにより命中率を高めるには、バレルの質量および重心位置の微調整が必要になってくる。  こうした理由から、質量および重心位置の異なるバレルを多数用意する必要があり、また図３示す従来型のバレル１個でハード・ソフト両ダーツに兼用することは困難とされている。
【０００７】
たとえば、特許文献１には、図５に示すように、プラスチック製の矢先２ａの円柱状部分２ｂにねじ山を形成し、他方、金属製の円筒状バレル３の内側にねじ溝を形成して、前記プラスチック製の円柱状部分２ｂをバレル３内部にねじ込んで取り付けたソフトダーツが開示されている。ここで用いられているバレル３の構造では、任意の質量および重心位置の調整ができず、またハード・ソフトの両ダーツ兼用とすることも困難である。
【０００８】
また、バレルの材質としては、ダーツの全体質量がバレル質量によって左右されることから、ある程度質量を確保しながら、細かく加工ができて錆びにくいという理由で、純タングステン（Ｗ）あるいはタングステン（Ｗ）−ニッケル（Ｎｉ）合金が主に使用されているが、プレイヤーの好みの色彩という観点から、ブラス（真鍮）、シルバー（銀）、カッパー（銅）などから造られたバレルも使われている。
【特許文献１】実用新案登録第３１２３２０６号公報
【発明の開示】
【発明が解決しようとする課題】
【０００９】
本発明は、上述の背景技術に鑑みてなされたものである。すなわちダーツの適正なスローイングによって命中率を高めるには、バレルの質量および重心位置の微調整が必要になってくる。それ故、従来は質量および重心位置の異なるダーツを多数準備しなければならなかった。さらにこうした理由から、従来のバレルをハード・ソフトの両ダーツに兼用することは困難であった。  
【００１０】
また、現在主に使用されているＷまたはＷ−Ｎｉ合金製のバレルは、脆いため割れ易く、高価であり、また色彩（地色）も豊かとは言い難い。
本発明では、こうした課題を解消して新規な構造のダーツバレルを提供することを目的とする。
【課題を解決するための手段】
【００１１】
すなわち、本発明のダーツバレルのうち、請求項１記載の発明は、ダーツ競技に使用される矢先、バレル、シャフトおよびフライトで構成されているダーツの前記バレルにおいて、バレル本体の少なくとも一部が筒形に構成されているとともに、該筒形の筒穴内にウェイト部材を着脱可能に装着させてなることを特徴とする。
【００１２】
請求項２記載のダーツバレルの発明は、請求項１記載の発明において、前記ウェイト部材は、前記筒穴内の、軸方向任意位置に装着可能であることを特徴とする。
【００１３】
請求項３記載のダーツバレルの発明は、請求項１または２に記載の発明において、前記ウェイト部材には、異なる質量を有するものを選択して装着可能であることを特徴とする。
【００１４】
請求項４記載のダーツバレルの発明は、請求項１〜３のいずれかに記載の発明において、前記筒穴内の内周面にねじ溝が形成されており、前記ウェイト部材の軸方向両端を前記ねじ溝に螺合した、両側の雄ねじ部材にて固定してなることを特徴とする。
【００１５】
請求項５記載のダーツバレルの発明は、請求項１〜３のいずれかに記載の発明において、前記筒穴内の内周面にねじ溝が形成されているとともに、前記ウェイト部材の外周面に該ねじ溝に螺合するねじ山が形成されており、前記ねじ溝と前記ねじ山の螺合によって前記ウェイト部材が固定されていることを特徴とする。
【００１６】
請求項６記載のダーツバレルの発明は、請求項１〜５のいずれかに記載の発明において、前記ウェイト部材が金属、セラミックまたは樹脂からなることを特徴とする。
【００１７】
請求項７記載のダーツバレルの発明は、請求項１〜６のいずれかに記載の発明において、前記本体がステンレス鋼で構成されていることを特徴とする。
【００１８】
請求項８記載のダーツバレルの発明は、請求項１〜７のいずれかに記載の発明において、前記本体の表面が着色されていることを特徴とする。
【発明の効果】
【００１９】
本発明のバレルを使用すれば、ウェイト部材の着脱によってバレルウェイトの質量および重心を容易に調整でき、また、ウェイト部材の装着位置や質量の選択によってバレル自体の質量および重心位置を任意に調整することが可能となるため、バレルを多数用意する必要がなくなり、しかもダーツの適正なスローイングができて命中率も高められる。また、本発明のバレルはハード・ソフトの両ダーツ兼用とすることが可能である。さらに、バレルの材質をステンレス鋼とし、その表面を着色することにより色彩豊かで耐割損性・耐食性に優れかつ比較的安価なダーツバレルを得ることができる。
【発明を実施するための最良の形態】
【００２０】
以下、本発明のダーツバレルの実施の形態を図１、２を参照して説明する。
【００２１】
（実施形態１）
図１は、本発明の第１の実施形態を示すバレル３の断面図である。内周面にねじ溝３ｂを形成したステンレス鋼からなり着色された円筒状バレル本体３ａの任意の位置に、任意の長さと質量を有する金属、セラミックまたは樹脂からなる円柱状ブロック６をウェイト部材として挿入し、前記円柱状ブロック６の両端を雄ねじ部材であるナット７、７ａにて固定する。
【００２２】
ここで、バレル本体３ａ内に挿入される円柱状ブロック６の数は、１個に限定されるものではなく、必要に応じて複数個挿入してもよい。
また、ステンレス鋼からなるバレル本体表面を着色するために、めっき、塗装、溶射、ＰＶＤ、ＣＶＤ、化学発色などの表面処理が採用される。
【００２３】
なお、この実施形態では、円柱状ブロックの両側をナットで固定したが、バレル本体３ａ内が一部で封止されている場合には、ウェイト部材の位置調整はできないが質量の異なる円柱状ブロックを選択して、この封止部に円柱状ブロックの一端を押し当てて固定するようにしても良い。
【００２４】
また、この実施形態では、ウェイト部材として円柱状ブロックを説明したが、本発明としてはウェイト部材の形状がこれに限定をされるものではなく、適宜の形状とすることができる。
【００２５】
また、この実施形態では、バレル本体として円筒形状を有するものについて説明したが、本発明としては、バレル本体の形状がこれに限定されるものではなく、角筒などとすることも可能であり、筒形状を有するものであればよい。また、筒形もバレル本体全体に亘るものであることは必要ではなく、一部において筒形を有するものであっても良い。この筒形の部分においてウェイト部材の装着が可能になっていればよい。
【００２６】
また、本発明のバレルは、他のパーツと完全に分割された単体のものが好適であるが、矢先やシャフトと一体になったものが除外されるものではなく、本発明の範囲内に含まれるものである。
【００２７】
（実施形態２）
図２は、本発明の第２の実施形態を示すバレル３の断面図で、ステンレス鋼からなり着色された円筒状バレル本体３ａの内周面にねじ溝３ｂを形成する。一方、任意の長さと質量を有し、金属、セラミックまたは樹脂からなる円柱状ブロック６にはねじ山６ａを形成して、前記円筒状バレル３の任意の位置に、所望の前記円柱状ブロック６を挿入・螺着する。この際に、円柱状ブロック６の端面に治具係合部６ｂなどを設けてねじ込み位置を調整可能にすることもできる。
【００２８】
以上、上記実施形態に基づいて本発明の説明を行ったが、本発明は上記実施形態の説明の内容に限定をされるものではなく、本発明の範囲を逸脱しない限りは適宜の変更が当然に可能である。
【図面の簡単な説明】
【００２９】
【図１】本発明の第１の実施形態を示すダーツバレルの断面図である。
【図２】本発明の第２の実施形態を示すダーツバレルの断面図である。
【図３】従来のダーツバレルを示す断面図である。
【図４】従来のハードダーツを示す側面図である。
【図５】従来のソフトダーツを示す一部分解図である。
【図６】従来のハードダーツを示す分解図である。
【００３０】
１    ダーツ
２    矢先
２ａ  矢先
３    バレル
３ａ  バレル本体
３ｂ  ねじ溝
４    シャフト
５    フライト
６    円柱状ブロック
６ａ  ねじ山
７、７ａ  ナット
【図１】
2008253537.tif 000003
【図２】
2008253537.tif 000004
【図３】
2008253537.tif 000005
【図４】
2008253537.tif 000006
【図５】
2008253537.tif 000007
【図６】
2008253537.tif 000008